(57)【要約】      （修正有）【課題】構成を複雑にすることなく空気浄化機能を備えた使用性の高い空気調和機を提供する。【解決手段】吸込口１１Ａ，１１Ｂと、熱交換器３０と、吹出口１２と、空気清浄フィルタ８０Ａとを備え、本体１から少なくとも一部が離間可能で、空気清浄フィルタ８０Ａを保持しながら、空気清浄フィルタ８０Ａの配置位置を変更するパネル２を１枚有し、吸込口１１Ａ，１１Ｂからの空気が熱交換器３０にて熱交換される第１運転モードと、吸込口１１Ａ，１１Ｂからの空気が空気清浄フィルタ８０Ａにて集塵される第２運転モードとを含み、第１運転モードでは、パネル２の少なくとも一部と空気清浄フィルタ８０Ａとが本体１から離間し、第２運転モードでは、空気が通過する空気清浄フィルタ８０Ａの表面積が、第１運転モードよりも大きくなる位置に空気清浄フィルタ８０Ａが配置される構成としたことを特徴とする空気調和機。【選択図】図３
2019015484.tif 000002
【特許請求の範囲】
【請求項１】
本体に設けられている吸込口と、
前記吸込口から空気を吸い込ませるファンと、
前記吸込口から吸い込まれた空気と熱交換する熱交換器と、
前記本体に設けられ、前記ファンの動作により発生する空気流が吹き出す吹出口と、
空気清浄フィルタと、を備え、
前記本体に設けられ、前記本体から少なくとも一部が離間可能で、前記空気清浄フィルタを保持しながら、前記空気清浄フィルタの配置位置を変更するパネルを１枚有し、
前記吸込口から吸い込まれた空気が、前記熱交換器にて熱交換される第１運転モードと、前記空気流に含まれる塵埃が、前記空気清浄フィルタにて集塵される第２運転モードと、を含み、
前記第１運転モードにおいては、前記パネルの少なくとも一部と前記空気清浄フィルタとが前記本体から離間し、
前記第２運転モードにおいては、前記空気流が前記空気清浄フィルタを通過する通過面の表面積が、前記第１運転モードよりも大きくなる位置に、前記空気清浄フィルタが配置される構成としたことを特徴とする空気調和機。
【請求項２】
前記第２運転モードにおいては、前記第１運転モードに場合に比べて、前記本体から離間していない位置に、前記空気清浄フィルタが配置される構成としたことを特徴とする前記請求項１に記載の空気調和機。
【請求項３】
前記第２運転モードにおいては、前記空気清浄フィルタは前記本体から離間せず、前記パネルの少なくとも一部のみが、前記本体から離間する構成としたことを特徴とする前記請求項１または２に記載の空気調和機。
【請求項４】
前記空気清浄フィルタは、前記吸込口に対向して配置されていることを特徴とする前記請求項１〜３のいずれか１項に記載の空気調和機。
【請求項５】
前記第２運転モードの実行を指示する操作スイッチを備え、使用者が前記操作スイッチを操作した場合に、前記第２運転モードが実行されることを特徴とする前記請求項１〜４のいずれか１項に記載の空気調和機。
【請求項６】
空気に含まれる塵埃の少なくとも有無を検知する塵埃検知センサを備え、前記塵埃検知センサが塵埃を検知した場合に、前記第２運転モードが実行されることを特徴とする前記請求項１〜５のいずれか１項に記載の空気調和機。
【請求項７】
前記第２運転モードにおける前記ファンの設定回転数を、前記第１運転モードにおける前記ファンの少なくとも最低設定回転数よりも大きくしたことを特徴とする前記請求項１〜６のいずれか１項に記載の空気調和機。
【発明の詳細な説明】
【技術分野】
【０００１】
本発明は、空気清浄フィルタを備えた空気調和機に関するものである。
【背景技術】
【０００２】
従来、この種の空気調和機は、室内機の吸込口に、通気孔のある開閉する複数のルーバを設け、この複数のルーバはそれぞれ空気清浄フィルタと一体となっている。そして、空気清浄運転時においては、ルーバが閉の状態となり、吸込口に吸込まれる空気は、ルーバに設けられている通気孔から、空気清浄フィルタを通って吸込まれる構成である。一方、冷暖房運転時（空調運転時）においては、ルーバが開の状態となり、吸込口に吸込まれる空気は、空気清浄フィルタを通らない構成となっている（例えば、特許文献１参照）。
【先行技術文献】
【特許文献】
【０００３】
【特許文献１】特開２００１−１１６２８２号公報
【発明の概要】
【発明が解決しようとする課題】
【０００４】
しかしながら、前記従来の構成では、空気清浄フィルタと一体となっている複数のルーバにより構成されているため、構成が複雑になるという課題を有している。
【０００５】
本発明は、前記従来の課題を解決するもので、構成を複雑にすることなく空気浄化機能を備えた使用性の高い空気調和機を提供することを目的とする。
【課題を解決するための手段】
【０００６】
前記従来の課題を解決するために本発明の空気調和機は、本体に設けられている吸込口と、前記吸込口から空気を吸い込ませるファンと、前記吸込口から吸い込まれた空気と熱交換する熱交換器と、前記本体に設けられ、前記ファンの動作により発生する空気流が吹き出す吹出口と、空気清浄フィルタと、を備え、前記本体に設けられ、前記本体から少なくとも一部が離間可能で、前記空気清浄フィルタを保持しながら、前記空気清浄フィルタの配置位置を変更するパネルを１枚有し、前記吸込口から吸い込まれた空気が、前記熱交換器にて熱交換される第１運転モードと、前記空気流に含まれる塵埃が、前記空気清浄フィルタにて集塵される第２運転モードと、を含み、前記第１運転モードにおいては、前記パネルの少なくとも一部と前記空気清浄フィルタとが前記本体から離間し、前記第２運転モードにおいては、前記空気流が前記空気清浄フィルタを通過する通過面の表面積が、前記第１運転モードよりも大きくなる位置に、前記空気清浄フィルタが配置される構成としたことを特徴とするものである。
【０００７】
これにより、第２運転モードである空気清浄運転時において、ファンの動作により発生する空気流が通過する空気清浄フィルタの通過面の表面積を大きくすることができるので、高い空気清浄性能を得ることができる。また、第１運転モードである空調運転において、空気清浄フィルタが本体より離間しているため、冷房運転時や暖房運転時において送風性能が低下することがなく、冷房能力や暖房能力が低下したり効率が悪化したりすることはない。さらに、空気清浄フィルタの配置位置を１枚のパネルにて移動させているので、構成を複雑にすることなく空気浄化機能を備えた使用性の高い空気調和機を提供できる。
【発明の効果】
【０００８】
本発明によれば、構成を複雑にすることなく空気浄化機能を備えた使用性の高い空気調
和機を提供できる。
【図面の簡単な説明】
【０００９】
【図１】本発明の実施の形態１における運転停止時の空気調和機の室内機の縦断面図
【図２】同空気調和機の室内機の第１運転モード時の縦断面図
【図３】同空気調和機の室内機の第２運転モード時の縦断面図
【発明を実施するための形態】
【００１０】
第１の発明は、本体に設けられている吸込口と、前記吸込口から空気を吸い込ませるファンと、前記吸込口から吸い込まれた空気と熱交換する熱交換器と、前記本体に設けられ、前記ファンの動作により発生する空気流が吹き出す吹出口と、空気清浄フィルタと、を備え、前記本体に設けられ、前記本体から少なくとも一部が離間可能で、前記空気清浄フィルタを保持しながら、前記空気清浄フィルタの配置位置を変更するパネルを１枚有し、前記吸込口から吸い込まれた空気が、前記熱交換器にて熱交換される第１運転モードと、前記空気流に含まれる塵埃が、前記空気清浄フィルタにて集塵される第２運転モードと、を含み、前記第１運転モードにおいては、前記パネルの少なくとも一部と前記空気清浄フィルタとが前記本体から離間し、前記第２運転モードにおいては、前記空気流が前記空気清浄フィルタを通過する通過面の表面積が、前記第１運転モードよりも大きくなる位置に、前記空気清浄フィルタが配置される構成としたことを特徴とする空気調和機である。
【００１１】
これにより、第２運転モードである空気清浄運転時において、ファンの動作により発生する空気流が通過する空気清浄フィルタの通過面の表面積を大きくすることができるので、高い空気清浄性能を得ることができる。また、第１運転モードである空調運転において、空気清浄フィルタが本体より離間しているため、冷房運転時や暖房運転時において送風性能が低下することがなく、冷房能力や暖房能力が低下したり効率が悪化したりすることはない。なお、空気清浄フィルタの配置位置を１枚のパネルにて移動させているので、構成を複雑にすることなく空気浄化機能を備えた使用性の高い空気調和機を提供できる。
【００１２】
第２の発明は、特に、第１の発明において、前記第２運転モードにおいては、前記第１運転モードに場合に比べて、前記本体から離間していない位置に、前記空気清浄フィルタが配置される構成としたことを特徴とするものである。
【００１３】
これにより、第２運転モードが実行される場合には、第１運転モードが実行される場合よりも、ファンの動作により発生する空気流が流れる空気清浄フィルタの表面積を大きくすることができるので、第２運転モードである空気清浄運転時においては、高い空気清浄性能を得ることができる。また、第１運転モードである空調運転時においては、風量が確保できるため、空調運転の性能（冷暖房運転時の性能）の低下を抑制できる。
【００１４】
第３の発明は、特に、第１または第２の発明において、前記第２運転モードにおいては、前記空気清浄フィルタは前記本体から離間せず、前記パネルの少なくとも一部のみが、前記本体から離間する構成としたことを特徴とするものである。
【００１５】
これにより、第２運転モードである空気清浄運転時において、パネルが本体から離間しても、空気清浄フィルタは本体から離間しない構成により、パネルが開いていることから空気流の通風抵抗は小さくなるとともに、ファンの動作により発生する空気流の流路に空気清浄フィルタは配置されているので、送風性能が確保でき高い空気清浄性能が得られる。
【００１６】
第４の発明は、特に、第１から第３のいずれかの発明において、前記空気清浄フィルタ
は、前記吸込口に対向して配置されていることを特徴とするものである。
【００１７】
これにより、吸込口から吸込まれる空気が、本体内を通過する前に、空気清浄フィルタを通過するので、高い空気清浄性能を得ることができる。
【００１８】
第５の発明は、特に、第１から第４のいずれかの発明において、前記第２運転モードの実行を指示する操作スイッチを備え、使用者が前記操作スイッチを操作した場合に、前記第２運転モードが実行されることを特徴とするものである。
【００１９】
これにより、使用者が空気清浄運転を必要とする場合に、その指示に従って第２運転モードである空気清浄運転を実行できる。また、第２運転モードである空気清運転が必要でない場合、もしくは、第２運転モードである空気清浄運転よりも第１運転モードである空調運転の能力や省エネ性能を優先させたい場合も、操作スイッチを操作して第２運転モードである空気清運転を停止できるので、使用性を向上できる。
【００２０】
第６の発明は、特に、第１から第５のいずれかの発明において、空気に含まれる塵埃の少なくとも有無を検知する塵埃検知センサを備え、前記塵埃検知センサが塵埃を検知した場合に、前記第２運転モードが実行されることを特徴とするものである。
【００２１】
これにより、空気の清浄度合いによって、自動で第２運転モードである空気清浄機能を有効にさせることができる。
【００２２】
第７の発明は、特に、第１から第６のいずれかの発明において、前記第２運転モードにおける前記ファンの設定回転数を、前記第１運転モードにおける前記ファンの少なくとも最低設定回転数よりも大きくしたことを特徴とするものである。
【００２３】
これにより、空気清浄フィルタによる通風抵抗の増加による、吹出し風量低下を防止し、空気清浄機能を十分に発揮できる風量を確保することができる。
【００２４】
以下、本発明の実施の形態について、図面を参照しながら説明する。なお、この実施の形態によって本発明が限定されるものではない。
【００２５】
（実施の形態１）
図１〜図３は、本実施の形態１による空気調和機の室内機の縦断面図である。
【００２６】
本実施の形態による空気調和機は、室内機と室外機とから構成される。室内機と室外機とは冷媒配管及び制御配線により接続され、室内機と室外機とによりヒートポンプが構成される。室外機には圧縮機が設けられている。室内機は、室内の壁面に取り付けられる。
【００２７】
本実施の形態による空気調和機の室内機は、吸込口１１Ａと吸込口１１Ｂと吹出口１２とを形成する本体１と、本体１の前面に設けられ、吸込口１１Ｂを開閉する前面パネル２とを備えており、前面パネル２は、本体１から離間するための前面パネル開閉手段（図示せず）を有している。
【００２８】
なお、本実施の形態のように、前面パネル２の全体が本体１から離間しなくても、前面パネル２の一部が本体１に軸支されていて回動することで、前面パネル２の他の部位が、本体１から離間する構成としてもよい。
【００２９】
吸込口１１Ａは本体１の上面に形成され、吸込口１１Ｂは本体１の前面に形成され、吹出口１２は本体１の下面に形成される。本体１の後面１３は壁面となり、本体１はこの壁
面に取り付けられる。本体１の内部には、吸込口１１Ａ、１１Ｂから空気を吸い込ませるファン２０と、吸込口１１Ａ、１１Ｂから吸込まれた空気と熱交換する熱交換器３０とを設けている。ファン２０には、貫流ファン（クロスフローファン）が適している。ファン２０は、左右両端のいずれかの回転軸にファンモータを連結している（図示せず）。
【００３０】
ファン２０の下流から吹出口１２の上流に至る下流空気流路４０は、ファン２０の下流に配置されて空気の流れを案内するリアガイダ４１と、このリアガイダ４１に対向して配置されたスタビライザ４２と、本体１の両側壁（図示せず）とで形成されている。
【００３１】
吹出口１２には、上下風向変更羽根５１と左右風向変更羽根５２とを設けている。左右風向変更羽根５２は上下風向変更羽根５１より上流側に配置している。上下風向変更羽根５１は、吹出口１２を開閉し、空気の吹出しを上下方向に変更する。左右風向変更羽根５２は、空気の吹出しを左右方向に変更する。
【００３２】
ファン２０の上流側の空気流路６０、６１には、熱交換器３０とエアフィルタ７０と空気清浄フィルタ８０Ａとが配置されている。空気清浄フィルタ８０Ａは、エアフィルタ７０とは別体として形成されている。エアフィルタ７０は、比較的大きな塵埃を捕獲することを目的とした粗塵用のフィルタである。一方、空気清浄フィルタ８０Ａは、前記エアフィルタ７０より通風抵抗が大きく、前記エアフィルタ７０を通過するような微粒子を捕獲することを目的としたフィルタであり、プリーツ式や不織布式が好ましい。
【００３３】
空気清浄フィルタ８０Ａは、本体１に備えられた本体側フィルタ支持部材（図示せず）と前面パネル２に備えられたパネル側空清支持部材８１のいずれか、もしくは、両方によって支持されて、空気流路６０の吸込口１１Ｂに対向する位置に配置されている。本体側フィルタ支持部材とパネル側空清支持部材８１は、必要に応じて空気清浄フィルタ８０Ａを保持したり、開放したりする。
【００３４】
空気清浄フィルタ８０Ａは、エアフィルタ７０より上流側の空気流路６０に配置する。空気清浄フィルタ８０Ａをエアフィルタ７０より上流側の空気流路６０に配置することで、空気清浄フィルタ８０Ａをエアフィルタ７０と熱交換器３０との間の空気流路６１に配置する場合と比較して、冷房運転時における結露による空気清浄フィルタ８０Ａの性能低下を防止できる。
【００３５】
本実施の形態による空気調和機は、少なくとも空調運転である冷房運転、暖房運転、及び、空気清浄運転を行うことができ、これらの運転の切り替えは操作装置１００にて使用者が空気調和機に指示することで行える。
【００３６】
操作装置１００は、冷房運転を指示する操作スイッチ１０１、暖房運転を指示する操作スイッチ１０２、空気清浄運転を指示する操作スイッチ１０３を備えている。使用者が、冷房運転を指示する操作スイッチ１０１や暖房運転を指示する操作スイッチ１０２を操作すると、前面パネル２が本体１に対して離間する動作、つまり前面パネル２を開く動作を行い、空調運転である冷房運転もしくは暖房運転を行う。
【００３７】
この時、空気清浄フィルタ８０Ａは、前面パネル２の開動作と共に本体１に対して離間する方向に移動する。そして同じ操作スイッチ１０１、１０２をもう一度操作して運転停止を指示すると、前面パネル２が閉じる閉動作を行う。この時、空気清浄フィルタ８０Ａは、前面パネル２の閉動作と一緒に元の位置である空気流路６０の吸込口１１Ｂに対向する位置に移動し、冷房運転もしくは暖房運転は停止する。
【００３８】
また、使用者が空気清浄運転を指示する操作スイッチ１０３を操作すると、空気清浄フ
ィルタ８０Ａを移動させないで、空気流路６０の吸込口１１Ｂに対向する位置に配置させたままで、前面パネル２だけが開き、本体１から離間する動作を行う。これによって、空気清浄機能を有効にさせる空気清浄運転を実行させることができる。
【００３９】
本実施の形態による空気調和機は、空気に含まれる塵埃の少なくとも有無を検知する塵埃検知センサ１１０を備えている。塵埃検知センサ１１０が検知する空気の清浄度合いの結果に基づいて、空調運転並びに空気清浄運転が停止している際は、空気清浄フィルタ８０Ａを移動させないで、空気流路６０の吸込口１１Ｂに対向する位置に配置させたまま、前面パネル２が開いて、空気清浄運転が開始される。
【００４０】
また、空調運転時で、空気清浄運転が同時に実施していない場合は、空気清浄フィルタ８０Ａが前面パネル２と一緒に本体１から離間した状態から、空気清浄フィルタ８０Ａのみが、本体１側の空気流路６０の吸込口１１Ｂに対向する位置に移動する。本実施の形態によれば、塵埃検知センサ１１０が検知する空気の清浄度合いによって、すなわち、塵埃が有る場合には空気清浄機能を有効にさせる空気清浄運転を自動で実行させることができる。
【００４１】
以上のように、本実施の形態による空気調和機は、空気清浄フィルタ８０Ａと前面パネル２とが共に本体１から離間し、吸込口１１Ａ、１１Ｂから吸込まれた空気が、エアフィルタ７０を通過して熱交換器３０と熱交換する第１運転モード（空調運転）と、空気清浄フィルタ８０Ａは空気流路６０の吸込口１１Ｂに対向する位置に配置させたまま、前面パネル２のみが本体１から離間して、吸込口１１Ａ、１１Ｂから吸込まれた空気の全部もしくは一部が、空気清浄フィルタ８０Ａとエアフィルタ７０と空気清浄フィルタ８０Ａと熱交換器３０とを通過する第２運転モード（空気清浄運転）を少なくとも有している。なお、第１運転モード（空調運転）と第２運転モード（空気清浄運転）とを同時運転させることも可能である。
【００４２】
第２運転モードにおけるファン２０の設定回転数は、第１運転モードにおけるファン２０の少なくとも最低設定回転数よりも大きくする。例えば、第１運転モードにおけるファン２０の回転数が、「弱」「中」「強」に変更できる場合に、第２運転モードにおけるファン２０の設定回転数は、少なくとも「中」の回転数とするか、「弱」の回転数よりも大きく「中」の回転数よりも小さな回転数とする。
【００４３】
このように、第２運転モードにおけるファン２０の設定回転数を、第１運転モードにおけるファン２０の少なくとも最低設定回転数よりも大きくすることで、空気清浄フィルタ８０Ａによる通風抵抗の増加による、吹出口１２からの吹出し風量低下を防止し、空気清浄機能を十分に発揮できる風量を確保することができる。本体１には、第２運転モードである空気清浄機能が動作していることを示す空気清浄運転中表示手段（図示せず）が設けられている。空気清浄運転中表示手段は、本体１以外に操作装置１００にあっても、或いは、本体１と操作装置１００の両方にあっても良い。
【００４４】
以上のように構成された空気調和機について、以下その動作について説明する。なお、第１運転モード及び第２運転モードでは、いずれも上下風向変更羽根５１は吹出口１２を開いた状態にあるが、図１から図３では、上下風向変更羽根５１は吹出口１２が閉じた状態を示し、いずれも前面パネル２並びに空気清浄フィルタ８０Ａの動作だけを示している。
【００４５】
図１は、第１運転モードである空調運転ならびに第２運転モードである空気清浄運転が停止している時の空気調和機の室内機の縦断面図である。
【００４６】
空調運転停止時は、空気清浄フィルタ８０Ａは、本体１に備えられた本体側フィルタ支持部材（図示せず）と前面パネル２に備えられたパネル側空清支持部材８１のいずれか、もしくは、両方によって支持されて所定位置、すなわち、吸込口１１Ａ、１１Ｂから吸込まれる空気流路６０の吸込口１１Ｂに対向する位置に配置されている。本体側フィルタ支持部材とパネル側空清支持部材８１は、空気清浄フィルタ８０Ａを掴む支持状態と、放す状態とを選択することができる。
【００４７】
図２は、空気調和機の第１運転モード時の室内機の縦断面図である。
【００４８】
図２では、前面パネル２と空気清浄フィルタ８０Ａが本体１から離間し、つまり、前面パネル２が空気清浄フィルタ８０Ａと一体となりながら開いた状態で、この時、本体側フィルタ支持部材は空気清浄フィルタ８０Ａを保持しないで放し、パネル側空清支持部材８１は空気清浄フィルタ８０Ａを保持した状態となっており、この状態のまま前面パネル２が開動作を行う。前面パネル２の開閉動作は前面パネル開閉手段によって実施される。
【００４９】
使用者が、操作装置１００にて操作スイッチ１０１を操作した場合には冷房運転が、操作スイッチ１０２を操作した場合には暖房運転がそれぞれ開始されるが、この時、前面パネル２と空気清浄フィルタ８０Ａは、図１の停止状態から図２の第１運転モードの状態となり、これと前後して、ファン２０や圧縮機が駆動して冷房運転、もしくは、暖房運転の空調運転を開始する。ファン２０が駆動を開始すると、吸込口１１Ａ、１１Ｂから空気が吸込まれて、エアフィルタ７０、熱交換器３０を通った後、吹出口１２から風が吹き出す。
【００５０】
ここで、吸込口１１Ａ、１１Ｂから吸込まれる空気は空気流路６０、エアフィルタ７０を通って熱交換器３０を通過するが、空気清浄フィルタ８０Ａはこの空気流路６０の外方に位置しているため、空気清浄フィルタ８０Ａを通過することはなく、つまり、空気清浄フィルタ８０Ａが通風の妨げとなることはない。したがって、冷房運転時や暖房運転時において送風性能が低下することはなく、故に冷房能力や暖房能力が低下したり効率が悪化したりすることはない。
【００５１】
図３は、空気調和機の第２運転モード時の室内機の縦断面図である。
【００５２】
図３では、空気清浄フィルタ８０Ａは、本体１の所定の位置、すなわち、吸込口１１Ａ、１１Ｂから吸込まれる空気流路６０の吸込口１１Ｂに対向する位置に配置されたまま、前面パネル２のみが本体１の吸込口１１Ｂから離間し、つまり、前面パネル２が開いた状態となる。この時、本体側フィルタ支持部材は空気清浄フィルタ８０Ａを支持し、パネル側空清支持部材８１は空気清浄フィルタ８０Ａを放した状態となっており、この状態のまま前面パネル２だけが開動作を行う。
【００５３】
使用者が、操作装置１００にて操作スイッチ１０３を操作した場合には空気清浄運転が開始されるが、この時、前面パネル２と空気清浄フィルタ８０Ａは、図１の停止状態から図３の第２運転モードの状態となり、これと前後して、ファン２０駆動して空気清浄運転を開始し、空気清浄運転中表示手段が表示を開始する。
【００５４】
ファン２０が駆動を開始すると吸込口１１Ａや１１Ｂから吸込まれる空気のうち少なくとも一部が、空気清浄フィルタ８０Ａを通過して空気清浄が実行された後、エアフィルタ７０、熱交換器３０を通って後、吹出口１２から浄化された風が吹き出す。この結果、室内の空気を浄化することが可能となる。
【００５５】
ここで、吸込口１１Ａ、１１Ｂから吸込まれる空気の少なくとも一部が、空気清浄フィ
ルタ８０Ａを通ることで、図２の第１運転モードの時に比べて通風抵抗が高くなり風量は低下するものの、空気清浄フィルタ８０Ａを吸込口１１Ｂに対向した位置に配置することで、吸込口１１Ａ、１１Ｂから吸込まれる空気が空気清浄フィルタ８０Ａを通過する通過面の表面積を最大に、もしくは、図２の第１運転モードの時に比べて大きくすることができるので、吸込口１１Ｂから吸込んだ風が、空気清浄フィルタ８０Ａを通過しやすくなる。
【００５６】
さらに、前面パネル２のみが本体１の吸込口１１Ｂから離間し、つまり、前面パネル２が開いた状態となっていることで、空気が空気清浄フィルタ８０Ａを通過する際の通風抵抗を最も小さくすることができることから、空気清浄機能時の風量を確保しやすくなり、高い空気清浄性能を得ることができる。
【００５７】
また、第１運転モード（空調運転）と第２運転モード（空気清浄運転）とを同時運転する際にも、風量が確保しやすくなるため、空気清浄能力と空調性能の両方を良化することが可能となる。
【００５８】
さらに、第２運転モード単独運転時や、あるいは、第１運転モード（空調運転）と第２運転モード（空気清浄運転）とを同時運転には、第１運転モード単独運転時よりも、ファン２０の回転数を大きくすることで、空気清浄フィルタ８０Ａの通風抵抗で低下した風量を大きくすることも可能である。なお、空気清浄運転中表示手段の形態としては、ＬＥＤなどのランプが点灯・消灯を繰り返すといった方法などが考えられる。
【００５９】
空気清浄運転中に使用者が、操作装置１００にて、操作スイッチ１０１もしくは操作スイッチ１０２を操作した場合には、図３の第２運転モードの状態で空気清浄運転を実行したまま冷房運転もしくは暖房運転が開始される。つまり、空気清浄運転でファン２０が駆動している状態から、圧縮機が駆動を開始して冷房運転もしくは暖房運転の第１運転モード（空調運転）が開始され、第１運転モード（空調運転）を実行しながら第２運転モード（空気清浄運転）が実行され、室内を快適な温度にしつつ、室内の空気をきれいにすることが可能となる。
【００６０】
また、冷房運転中、もしくは、暖房運転中に使用者が、操作装置１００にて、操作スイッチ１０３を操作した場合には、図２の第１運転モードの状態から図３の第２運転モードの状態に切り替わって、第１運転モード（空調運転）運転中のまま、第２運転モード（空気清浄運転）が開始される。
【００６１】
ファン２０と圧縮機が駆動している状態のまま、空気清浄フィルタ８０Ａが、前面パネル２の裏面にパネル側空清支持部材８１によって支持されている状態から、本体１側の元の位置である空気流路６０の吸込口１１Ｂに対向する位置に配置され、上述と同様の空調運転を実行しながら空気清浄運転が実行される。
【００６２】
さらに、第１運転モード（空調運転）と第２運転モード（空気清浄運転）が同時運転している際に、使用者が操作装置１００を操作することで、どちらかの運転だけを停止することも可能である。なお、第１運転モード（空調運転）と第２運転モード（空気清浄運転）を同時運転している場合に、冷房能力や暖房能力を必要とする場合や、冷房運転や暖房運転の運転効率を高めて省エネ運転を実施したい場合に、使用者の操作によって第２運転モード（空気清浄運転）を停止させることも可能である。
【００６３】
本実施の形態による空気調和機は、塵埃検知センサ１１０を搭載し、空気の清浄度合いの検知を行っている。このため第１運転モード（空調運転）を実行していて、かつ、第２運転モード（空気清浄運転）が停止している場合に、清浄度合いが低いと検知された場合
は、自動で第２運転モード（空気清浄運転）を開始することができる。
【００６４】
また、第１運転モード（空調運転）が実施されているかどうかに関わらず、第２運転モード（空気清浄運転）中に塵埃検知センサ１１０が、室内の空気の清浄度合いが高いと検知すると、第２運転モード（空気清浄運転）を自動で停止することも可能である。更に、室内の空気の清浄度合いに応じて、第２運転モード（空気清浄運転）を開始したり停止したりするのではなく、第２運転モード（空気清浄運転）のままファン２０の回転数を変化させて、空気清浄能力を変化させることも可能である。
【００６５】
なお、本実施の形態による空気調和機は、空気清浄フィルタ８０Ａを空気流路６０の吸込口１１Ｂに対向する位置に配置し、前面パネル２とともに本体１より離間させたが、空気清浄フィルタ８０Ａを空気流路６０の吸込口１１Ａに対向する位置に配置し、吸込口１１Ａを開閉する天面パネルを設け、その天面パネルとともに空気清浄フィルタ８０Ａを本体１より離間させるようにしてもよい。
【産業上の利用可能性】
【００６６】
以上のように、本発明にかかる空気調和機は、必要に応じて空気清浄機能を有効にさせることができ、空気清浄フィルタの耐久性も向上できるため、家庭用のみならず業務用等の空気調和機にも適用できる。
【符号の説明】
【００６７】
１  本体
２  前面パネル
１１Ａ、１１Ｂ  吸込口
１２  吹出口
１３  後面
２０  ファン
３０  熱交換器
４０  下流空気流路
４１  リアガイダ
４２  スタビライザ
５１  上下風向変更羽根
５２  左右風向変更羽根
６０  空気流路
７０  エアフィルタ
８０Ａ  空気清浄フィルタ
８１  パネル側空清支持部材
１００  操作装置
１０１、１０２、１０３  操作スイッチ
１１０  塵埃検知センサ
【図１】
2019015484.tif 000003
【図２】
2019015484.tif 000004
【図３】
2019015484.tif 000005